(57)【要約】【課題】デバイスや配線の破損を抑制する。【解決手段】ウェアラブル電子装置の製造方法の製造方法は、使用者の前腕に対応する第１部位と使用者の指に対応する第２部位とを有する複数枚の布材を用い、複数枚の布材各々の第１部位で所定のデバイスを挟み込むように配置した状態で複数枚の布材を重ね合わせて接合する接合工程（ステップＳ１１２の「布材接合」工程）と、接合工程で接合された複数枚の布材の第２部位を折り曲げて環状とすることで指係合部を形成する形成工程（ステップＳ１３０の「指係合部形成」工程）と、を含む。【選択図】図９
2020077268.tif 000002
【特許請求の範囲】
【請求項１】
使用者の前腕に対応する第１部位と使用者の指に対応する第２部位とを有する複数枚の布材を用い、当該複数枚の布材各々の前記第１部位で所定のデバイスを挟み込むように配置した状態で前記複数枚の布材を重ね合わせて接合する接合工程と、
前記接合工程で接合された前記複数枚の布材の前記第２部位を折り曲げて環状とすることで指係合部を形成する形成工程と、を含む、
ことを特徴とするウェアラブル電子装置の製造方法。
【請求項２】
前記形成工程は、使用者の親指に係合するための親指係合部を形成する工程と、使用者の人差し指に係合するための人差し指係合部を形成する工程と、を含む、
ことを特徴とする請求項１に記載のウェアラブル電子装置の製造方法。
【請求項３】
前記接合工程で接合された前記複数枚の布材の表面に前記所定のデバイスとは異なる他のデバイスを取り付けるデバイス取付工程をさらに含む、
ことを特徴とする請求項１又は請求項２に記載のウェアラブル電子装置の製造方法。
【請求項４】
前記所定のデバイスは、前記他のデバイスに電力を供給する電源部又は前記他のデバイスを制御する制御基板であり、
前記他のデバイスは、使用者に対して所定の情報を表示する表示部又は使用者から所定の入力操作を受け付ける操作部である、
ことを特徴とする請求項３に記載のウェアラブル電子装置の製造方法。
【請求項５】
前記複数枚の布材の前記第１部位は、使用者の橈骨付近に対応する基準端部から自由端部に向けて延在する形状に形成されており、
前記自由端部の下面と前記基準端部の近傍の上面とを固定するための固定部を前記第１部位に取り付ける固定部取付工程をさらに含む、
ことを特徴とする請求項３又は請求項４に記載のウェアラブル電子装置の製造方法。
【請求項６】
前記接合は、縫合によって行われる、
ことを特徴とする請求項１に記載のウェアラブル電子装置の製造方法。
【請求項７】
各々が電気的に接続された所定の複数のデバイスと、
前記所定の複数のデバイスを支持するとともに、使用者の指から前腕に亘って装着可能な装着体と、を備え、
前記装着体は、積層された複数枚の布材によって形成されているとともに、前記指に係合するための指係合部と、前記前腕に装着するための前腕装着部と、を有し、
前記前腕装着部の前記積層された複数枚の布材の間には、前記所定の複数のデバイスのうち少なくとも一つのデバイスが挟み込まれている、
ことを特徴とするウェアラブル電子装置。
【請求項８】
前記前腕装着部の前記積層された複数枚の布材の間には、前記所定の複数のデバイスを電気的に接続するための配線の少なくとも一部が挟み込まれている、
ことを特徴とする請求項７に記載のウェアラブル電子装置。
【請求項９】
前記前腕装着部の前記積層された複数枚の布材の表面には、前記所定の複数のデバイスのうち前記一つのデバイスとは異なる少なくとも一つの他のデバイスが取り付けられている、
ことを特徴とする請求項７又は請求項８に記載のウェアラブル電子装置。
【請求項１０】
使用者の前腕に対応する第１部位と使用者の指に対応する第２部位とを有する袋状の布材を用い、当該袋状の布材の内部における前記第１部位に対応する箇所に所定のデバイスを配置した状態で、前記袋状の布材の前記第２部位を折り曲げて環状とすることで指係合部を形成する形成工程を含む、
ことを特徴とするウェアラブル電子装置の製造方法。
【請求項１１】
各々が電気的に接続された所定の複数のデバイスと、
前記所定の複数のデバイスを支持するともに、使用者の指から前腕に亘って装着可能な装着体と、を備え、
前記装着体は、袋状の布材によって形成されているとともに、前記指に係合するための環状の指係合部と、前記前腕に装着するための前腕装着部と、を有し、
前記袋状の布材の内部における前記前腕装着部に対応する箇所には、前記所定の複数のデバイスのうち少なくとも一つのデバイスが挟み込まれている、
ことを特徴とするウェアラブル電子装置。
【発明の詳細な説明】
【技術分野】
【０００１】
本発明は、ウェアラブル電子装置、及び、その製造方法に関する。
【背景技術】
【０００２】
近年、使用者の体に装着されるウェアラブル電子装置が普及しつつある。そのようなウェアラブル電子装置の中でも、情報を読み取る読取部と、情報を表示する表示部と、を備え、使用者の前腕に装着する構造の装置がある（例えば、特許文献１及び特許文献２参照）。
【０００３】
このようなウェアラブル電子装置は、例えば、製造業や流通業等において、物品の管理を支援するために使用される。例えば、ウェアラブル電子装置は、物品に付されたバーコードやＱＲコード（登録商標）等の読取対象を読取部で読み取り、その情報をコンピュータ等に送信することで、物品の管理を支援する。
【先行技術文献】
【特許文献】
【０００４】
【特許文献１】特開２０１２−２３８２２４号公報
【特許文献２】国際公開第ＷＯ２０１５／１２５３１７号
【発明の概要】
【発明が解決しようとする課題】
【０００５】
従来のウェアラブル電子装置は、以下に説明するように、デバイスや配線の破損を抑制することが要望されていた。
【０００６】
例えば、従来のウェアラブル電子装置は、使用者の前腕に装着するための装着体に各種デバイスが取り付けられており、装着体に設けられたバンドの締め付け力で使用者の前腕に装着する構造になっていた。装着体は、各デバイスを接続する配線の全て又は一部が露出している構造であって。そのため、従来のウェアラブル電子装置は、配線を引っ掛けて破損（断線）してしまたり、デバイスに衝撃が加わって破損してしまったりすることがあった。このような従来のウェアラブル電子装置は、デバイスや配線の破損を抑制することが要望されていた。
【０００７】
本発明の課題は、デバイスや配線の破損を抑制することである。
【課題を解決するための手段】
【０００８】
上述した課題を解決するために、本発明の第１の観点に係るウェアラブル電子装置の製造方法は、使用者の前腕に対応する第１部位と使用者の指に対応する第２部位とを有する複数枚の布材を用い、当該複数枚の布材各々の前記第１部位で所定のデバイスを挟み込むように配置した状態で前記複数枚の布材を重ね合わせて接合する接合工程と、前記接合工程で接合された前記複数枚の布材の前記第２部位を折り曲げて環状とすることで指係合部を形成する形成工程と、を含む、ことを特徴とする。
【発明の効果】
【０００９】
本発明によれば、デバイスや配線の破損を抑制することができる。
【図面の簡単な説明】
【００１０】
【図１】実施形態に係るウェアラブル電子装置全体の構成図である。
【図２】実施形態に係るウェアラブル電子装置のデバイスと配線の構成図である。
【図３Ａ】実施形態に係るウェアラブル電子装置の前腕装着部の部分断面図である。
【図３Ｂ】実施形態に係るウェアラブル電子装置の人差し指係合部の部分断面図である。
【図４】実施形態に係るウェアラブル電子装置の装着時の外観図である。
【図５】実施形態に係るウェアラブル電子装置の装着時における各構成要素の配置関係の説明図である。
【図６】実施形態に係るウェアラブル電子装置の使用例の説明図である。
【図７Ａ】使用者から見た使用時のディスプレイの外観図（１）である。
【図７Ｂ】使用者から見た使用時のディスプレイの外観図（２）である。
【図８】実施形態に係るウェアラブル電子装置の製造に用いる布材の構成図である。
【図９】実施形態に係るウェアラブル電子装置の製造工程を示すフローチャートである。
【発明を実施するための形態】
【００１１】
以下、図面を参照して、本発明の実施の形態（以下、「本実施形態」と称する）について詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１２】
［実施形態］
本実施形態に係るウェアラブル電子装置は、使用者の体に装着される装置である。ここでは、ウェアラブル電子装置１０が使用者の左腕に装着される場合を想定して説明する。なお、以下の説明において、「前腕（ぜんわん）」は、腕の肘から手首までの部分を意味している。また、「橈骨（とうこつ）」は、前腕の親指側にある長骨を意味している。また、「尺骨（しゃっこつ）」は、前腕の小指側にある長骨を意味している。
【００１３】
＜ウェアラブル電子装置の構成＞
以下、図１と図２を参照して、本実施形態に係るウェアラブル電子装置の構成について説明する。図１は、本実施形態に係るウェアラブル電子装置１０全体の構成図である。図２は、ウェアラブル電子装置１０のデバイスと配線の構成図である。
【００１４】
図１に示すように、本実施形態に係るウェアラブル電子装置１０は、スキャナ１１と、ディスプレイ１２と、制御基板１３と、電池１４と、装着体１５と、配線７０（７０ａ，７０ｂ，７０ｃ，７０ｄ，７０ｅ）と、を備えている。
【００１５】
スキャナ１１は、任意の読取対象から情報を読み取る読取部である。
ディスプレイ１２は、各種の情報を表示する表示部である。
制御基板１３は、スキャナ１１やディスプレイ１２等のデバイスを制御する制御部（図示せず）が実装された基板である。
電池１４は、スキャナ１１やディスプレイ１２等のデバイスに電力を供給する電源部である。
装着体１５は、スキャナ１１とディスプレイ１２と制御基板１３と配線７０とを支持するとともに、使用者の体に装着される部材である。
配線７０（７０ａ，７０ｂ，７０ｃ，７０ｄ，７０ｅ）は、スキャナ１１とディスプレイ１２と制御基板１３と電池１４とを接続している。
【００１６】
なお、ディスプレイ１２と制御基板１３と電池１４との中では、制御基板１３が一番軽くなっている。つまり、ディスプレイ１２と電池１４とは、制御基板１３よりも重くなっている。
【００１７】
図１及び図２に示すように、配線７０ａは、制御基板１３と電池１４とを接続している。配線７０ｂは、制御基板１３とディスプレイ１２とを接続している。配線７０ｃは、制御基板１３とスキャナ１１とを接続している。配線７０ｄは、制御基板１３とトリガーボタンＢｔ２とを接続している。トリガーボタンＢｔ２は、スキャナ１１に読取動作を実行させるためのボタンである。配線７０ｅは、制御基板１３と電源ボタンＢｔ１とを接続している。電源ボタンＢｔ１は、スキャナ１１やディスプレイ１２等のデバイスへの電力の供給動作を実行させるためのボタンである。
【００１８】
なお、ディスプレイ１２には、表示画面を初期画面に戻すためのホームボタンＢｔ３が配置されている。ディスプレイ１２は、好ましくは、使用者が複数種類の画面にアクセスすることができるように、表面にタッチパネルを有する構造であるとよい。また、ディスプレイ１２は、好ましくは、遠隔地に設置されたコンピュータと無線で通信ができるように、無線通信機能を有する構造であるとよい。また、ディスプレイ１２は、好ましくは、使用者の音声を入力したり、使用者に音声情報を提供したりすることができるように、マイクやスピーカ等を有する構造であるとよい。そこで、本実施形態では、ウェアラブル電子装置１０がディスプレイ１２としてスマートフォン等の携帯型無線通信装置を用いているものとして説明する。
【００１９】
図１に示すように、本実施形態では、装着体１５は、使用者の左手の指から左腕の前腕に亘って装着可能な形状を呈している。装着体１５は、使用者の左手の指に係合するための指係合部５０と、使用者の左腕の前腕に装着するためのベルト状の前腕装着部５３と、を有している。ただし、本実施形態では、ウェアラブル電子装置１０が使用者の左腕に装着される構成になっている。しかしながら、ウェアラブル電子装置１０は使用者の右腕に装着される構成にしてもよい。この場合に、ウェアラブル電子装置１０は、図１に示す構成に対して左右が逆の構成になる。
【００２０】
指係合部５０は、使用者の指に係合可能な形状を呈している。本実施形態では、装着体１５は、指係合部５０として、使用者の親指に係合するための親指係合部５１と、使用者の人差し指に係合するための人差し指係合部５２と、を有している。
【００２１】
指係合部５０（特に、人差し指係合部５２）は、前腕装着部５３の装着方向（矢印Ａ１参照）に対して交差する方向（矢印Ａ２参照）上に設けられている。ここで、「前腕装着部５３の装着方向（矢印Ａ１参照）」とは、使用者の前腕の周囲に沿って前腕装着部５３（ベルト）を巻き付ける方向を意味している。親指係合部５１は、人差し指係合部５２に対して右斜め下側の位置に設けられている。
【００２２】
親指係合部５１には、前記した電源ボタンＢｔ１が配置されている。電源ボタンＢｔ１は、親指係合部５１の先端部上面側の略中央付近に配置されている。
【００２３】
また、人差し指係合部５２には、前記したトリガーボタンＢｔ２が配置されている。トリガーボタンＢｔ２は、人差し指係合部５２の先端部側面側（親指係合部５１に近い側）に配置されている。なお、ウェアラブル電子装置１０は、スキャナ１１で自動的に読取対象を検出して読取動作を実行する構成にすることで、トリガーボタンＢｔ２が削除された構成にしてもよい。
【００２４】
前腕装着部５３は、使用者の前腕に巻き付けることで使用者の前腕に装着可能な形状を呈している。本実施形態では、装着体１５は、前腕装着部５３に、基準端部６１と、自由端部６２（６２ａ，６２ｂ）と、面ファスナー６３と、を有している。
【００２５】
基準端部６１は、前腕に装着されたときに使用者の橈骨付近に配置される部位である。基準端部６１は、前後方向（図１の上下方向）に向けて略直線状に形成されている。
【００２６】
自由端部６２は、自在に移動可能な部位である。本実施形態では、装着体１５は、自由端部６２として、自由端部６２ａと、自由端部６２ｂと、を有している。自由端部６２ａと自由端部６２ｂとは、それぞれ、基準端部６１に対向する側に突出するように、前腕装着部５３の後端部（図１の下端部）と前端部（図１の上端部）とに形成されている。
【００２７】
面ファスナー６３は、所謂「マジックテープ（登録商標）」と称される部材であり、自由端部６２を固定する固定部として機能する。面ファスナー６３は、鉤状の表面を持つ鉤部６３ａとパイル状の表面（輪奈や毛羽等が形成された表面）を持つパイル部６３ｂとで構成されている。面ファスナー６３は、鉤部６３ａとパイル部６３ｂとを重ね合わせることで双方を固定することができる。本実施形態では、鉤部６３ａは、自由端部６２ａ，６２ｂの先端付近（図１の左端付近）の下面に設けられている。パイル部６３ｂは、前腕装着部５３の上面の、前腕装着部５３を使用者の前腕に装着したときに鉤部６３ａに対向する位置に設けられている。
【００２８】
なお、ウェアラブル電子装置１０は、固定部として、面ファスナー６３の代わりに、例えば、スナップボタン等を用いてもよい。
【００２９】
ディスプレイ１２は、基準端部６１の近傍に配置されている。指係合部５０（特に、人差し指係合部５２）は、ディスプレイ１２の長手方向に延長した先に配置されている。スキャナ１１は、指係合部５０の人差し指係合部５２とディスプレイ１２との間に配置されている。
【００３０】
装着体１５の前腕装着部５３には、基準端部６１から装着方向（矢印Ａ１参照）に沿ってディスプレイ１２と制御基板１３と電池１４とが分散して配置されている。これは、ディスプレイ１２や制御基板１３、電池１４等のデバイスの重量が使用者の前腕の特定箇所に集中して加わらないようにするためである。
【００３１】
本実施形態では、ディスプレイ１２と制御基板１３と電池１４は、ディスプレイ１２と制御基板１３と電池１４の順に、前腕装着部５３の装着方向（矢印Ａ１参照）に沿って直列に配置されているものとして説明する。ただし、ディスプレイ１２と制御基板１３と電池１４は、ディスプレイ１２と電池１４と制御基板１３の順に、前腕装着部５３の装着方向（矢印Ａ１参照）に沿って直列に配置されるようにしてもよい。
【００３２】
なお、制御基板１３は、好ましくは、前記したデバイスの重量を使用者の前腕の周囲に好適に分散させることができるように、ディスプレイ１２よりも、また、電池１４よりも軽くなっているとよい。このようなウェアラブル電子装置１０は、ディスプレイ１２や制御基板１３、電池１４等のデバイスの重量を使用者の前腕の周囲に好適に分散させることができる。そのため、ウェアラブル電子装置１０は、操作時の重量感を軽減することができ、操作時の使用者の負担を軽減することができる。また、ウェアラブル電子装置１０は、使用者の腕への装着性を向上させることができる。
【００３３】
＜ウェアラブル電子装置の各部の断面構造＞
以下、図３Ａと図３Ｂを参照して、ウェアラブル電子装置１０の各部の断面構造について説明する。図３Ａは、ウェアラブル電子装置１０の前腕装着部５３の部分断面図である。図３Ａは、図１に示す前腕装着部５３をＸ１−Ｘ１線に沿って切断して得られる切り口（断面）を、側面方向（矢印方向）から見たレイアウトを示している。図３Ｂは、ウェアラブル電子装置１０の人差し指係合部５２の部分断面図である。図３Ｂは、図１に示す人差し指係合部５２をＹ１−Ｙ１線に沿って切断して得られる切り口（断面）を、側面方向（矢印方向）から見たレイアウトを示している。
【００３４】
図３Ａに示すように、装着体１５は、可撓性及び伸縮性を有する複数枚の布材１６で構成されている。本実施形態では、装着体１５は、上下方向に積層された２枚の布材１６ａ，１６ｂで構成されている。ここでは、布材１６ａが上側に配置され、布材１６ｂが下側に配置されているものとして説明する。上側の布材１６ａには、配線７０を外部に逃がすための開口部としての配線逃がし部７１が設けられている。
【００３５】
図３Ａに示すように、前腕装着部５３は、制御基板１３（基板）と電池１４（電源部）と少なくとも配線７０の一部とが布材１６ａと布材１６ｂとの間に挟み込まれた構造になっている。また、前腕装着部５３は、ディスプレイ１２が布材１６ａの上に配置された構造になっている。そして、前腕装着部５３は、布材１６ａと布材１６ｂとの所望部分が接合された構造になっている。接合箇所は、好ましくは、例えば、装着体１５の縁部分（外形周囲部分）や、前腕に取り付けるため面ファスナー６３（固定部）の周囲部分、制御基板１３や電池１４等の位置がズレないようにこれらの周囲部分等であるとよい。なお、ここでは、接合は、縫合（糸で縫い込むこと）によって行われているものとする（以下、同様）。
【００３６】
図３Ｂに示すように、人差し指係合部５２は、配線７０の一部が布材１６ａと布材１６ｂとの間に挟み込まれた構造になっている。また、人差し指係合部５２は、スキャナ１１（読取部）の受発光部とトリガーボタンＢｔ２が布材１６ａの上に配置された構造になっている。そして、人差し指係合部５２は、先端部の内部に、指を通すための空洞が形成された構造になっている。
【００３７】
なお、図示しないが、親指係合部５１は、人差し指係合部５２と同様に、配線７０の一部が布材１６ａと布材１６ｂとの間に挟み込まれた構造になっている。また、親指係合部５１は、電源ボタンＢｔ１が布材１６ａの上に配置された構造になっている。そして、親指係合部５１は、人差し指係合部５２と同様に、先端部の内部に、指を通すための空洞が形成された構造になっている。
【００３８】
ウェアラブル電子装置１０は、積層された複数枚の布材１６（本実施形態では、２枚の布材１６ａ，１６ｂ）の間に、制御基板１３（基板）や電池１４（電源部）等のデバイスと少なくとも配線７０の一部とを挟み込む構造になっている。このようなウェアラブル電子装置１０は、外部へのデバイスや配線７０の露出が無くなる。そのため、ウェアラブル電子装置１０は、デバイスや配線７０の破損を抑制することができる。
【００３９】
＜ウェアラブル電子装置の装着方法と使用方法＞
以下、図４乃至図７Ｂを参照して、ウェアラブル電子装置１０の装着方法と使用方法について説明する。図４は、ウェアラブル電子装置１０の装着時の外観図である。図５は、ウェアラブル電子装置１０の装着時における各構成要素の配置関係の説明図である。図６は、ウェアラブル電子装置１０の使用例の説明図である。図７Ａ及び図７Ｂは、それぞれ、使用者から見た使用時のディスプレイ１２の外観図である。図７Ａは、使用者が左腕を曲げてウェアラブル電子装置１０を胸元に近づけた状態でウェアラブル電子装置１０を見たときの外観構成を示している。図７Ｂは、使用者が左腕を伸ばしてウェアラブル電子装置１０を胸元から遠ざけた状態でウェアラブル電子装置１０を見たときの外観構成を示している。
【００４０】
図４及び図５に示すように、ウェアラブル電子装置１０は、使用者の腕に装着される際に、まず、人差し指係合部５２が使用者の人差し指に係合され、親指係合部５１が使用者の親指に係合される。次に、ウェアラブル電子装置１０は、前腕装着部５３が使用者の前腕Ｆａに装着される。なお、図４においては、主要なデバイスの配置を簡単に説明するために、電源ボタンＢｔ１およびトリガーボタンＢｔ２等は、図示を省略している。
【００４１】
このとき、図５に示すように、前腕装着部５３の基準端部６１が使用者の橈骨Ｒａ付近に配置される。また、前腕装着部５３の自由端部６２が手の甲側及び手の平側の順に使用者の前腕Ｆａの周囲を移動されて使用者の橈骨Ｒａ付近に配置される。その後に、前腕装着部５３の自由端部６２が面ファスナー６３（固定部）で前腕装着部５３の表面に固定される。その際に、使用者の前腕Ｆａの中程と使用者の前腕Ｆａの手首Ｗｒ付近で、２つの面ファスナー６３の鉤部６３ａとパイル部６３ｂとが係合して、装着体１５を使用者の前腕に固定する。
【００４２】
ウェアラブル電子装置１０が使用者の腕に装着された状態において、比較的重量が重いディスプレイ１２と電池１４とが使用者の橈骨Ｒａ付近（前腕の親指側の側面）と尺骨Ｕｌ付近（前腕の小指側の側面）とに配置される。そして、比較的重量が軽い制御基板１３がディスプレイ１２と電池１４との間に介在するように配置される。これにより、ウェアラブル電子装置１０は、使用者の腕に装着された状態において、重量バランスがとられている。つまり、ウェアラブル電子装置１０は、各デバイスの重量を使用者の前腕の周囲に分散して配置している。
【００４３】
このような構成により、例えば、ディスプレイ１２と制御基板１３と電池１４を一体として使用者の前腕における所定の箇所に配置した場合と比較すると、各デバイスの重量が特定箇所に集中的に掛かってしまうことを防げる。よって、使用者に与える重量感を軽減することができる。
【００４４】
なお、ディスプレイ１２を使用者の橈骨Ｒａ付近に配置する理由は、例えば、ディスプレイ１２を使用者の前腕における手の甲側に配置した場合と比較すると、使用者が何かを手で持ったり手で触ったりしながらディスプレイ１２を視認することを容易に行うことができるからである。そのため、ディスプレイ１２を使用者の橈骨Ｒａ付近に配置した場合は、ウェアラブル電子装置１０の利便性を向上することができる。
【００４５】
使用者は、ウェアラブル電子装置１０を腕に装着して、例えば人差し指で電源ボタンＢｔ１を押下することにより、ウェアラブル電子装置１０の電源を投入することができる。
このとき、ウェアラブル電子装置１０は、例えば、図７Ａに示す画面をディスプレイ１２に表示する。図７Ａに示す画面では、電池残量や、無線ＬＡＮの通信状態、日付及び現在時刻、使用者へのアナウンス（図示例では、「コードをスキャンして下さい」という文字）等の情報が表示されている。
【００４６】
図６に示すように、使用者は、読取対象（例えば、梱包箱等に付されたバーコード）から所望の情報を取得する場合に、スキャナ１１の受発光部を読取対象に向ける。そして、使用者は、例えば親指でトリガーボタンＢｔ２を押下する。これにより、ウェアラブル電子装置１０は、スキャナ１１の受発光部から読取対象（バーコード）に光を照射して所望の情報（バーコード情報）を取得する。ウェアラブル電子装置１０は、読取対象から取得された情報（厳密には、取得された情報を解析し、それによって得られた情報）をディスプレイ１２に表示する。このとき、ウェアラブル電子装置１０は、例えば、図７Ｂに示す画面をディスプレイ１２に表示する。図７Ｂに示す画面では、「読取完了」という文字情報とともに、読取対象から取得された情報として、「読取コード」や、「受入番号」、「品名」、「数量」等の情報が表示されている。
【００４７】
ウェアラブル電子装置１０は、使用者がスキャナ１１の受発光部を読取対象に向けて親指でトリガーボタンＢｔ２を押下する度に、読取対象から取得された情報をディスプレイ１２に更新表示する。
【００４８】
このようなウェアラブル電子装置１０は、各々が電気的に接続された所定の複数のデバイス（例えば、ディスプレイ１２、制御基板１３、電池１４等）と、所定の複数のデバイスを支持するとともに、使用者の指から前腕に亘って装着可能な装着体１５と、を備えている。装着体１５は、積層された複数枚の布材１６によって形成されているとともに、指に係合するための指係合部５０と、前腕に装着するための前腕装着部５３と、を有している。前腕装着部５３の積層された複数枚の布材１６の間には、所定の複数のデバイスのうち少なくとも一つのデバイス（本実施形態では、制御基板１３と電池１４の２つのデバイス）が挟み込まれている。また、前腕装着部５３の積層された複数枚の布材１６の間には、所定の複数のデバイスを電気的に接続するための配線７０の少なくとも一部が挟み込まれている。また、前腕装着部５３の積層された複数枚の布材１６の表面には、所定の複数のデバイスのうち前記した一つのデバイスとは異なる少なくとも一つの他のデバイス（本実施形態では、ディスプレイ１２）が取り付けられている。
【００４９】
係る構成において、ウェアラブル電子装置１０は、装着体１５を使用者の指（実施形態では、人差指と親指）から前腕まで覆う形状とし、指に掛ける部分にボタン類を、手の甲にスキャナを、前腕の周囲に本体部分（表示部、基板、電池）を配置した構造になっている。
【００５０】
このようなウェアラブル電子装置１０は、使用者の前腕に装着したときに、各デバイスの重量を好適な位置に分散させることができる。このようなウェアラブル電子装置１０は、装着性を向上させることができるとともに、操作時に重さを感じさせないようにすることができる。そのため、ウェアラブル電子装置１０は、操作時の使用者の負担を軽減することができる。
【００５１】
＜ウェアラブル電子装置の製造方法＞
以下、図８と図９を参照して、ウェアラブル電子装置１０の製造方法について説明する。図８は、ウェアラブル電子装置１０の製造に用いる布材１６の構成図である。図９は、ウェアラブル電子装置１０の製造工程を示すフローチャートである。
【００５２】
例えば図８に示すように、ウェアラブル電子装置１０は、複数枚の布材１６（本実施形態では、２枚の布材１６ａ，１６ｂ）を用いて製造される。図８に示す例では、２枚の布材１６ａ，１６ｂは、使用者の前腕に対応する位置に設けられた第１部位Ｒ１と、使用者の親指と人差し指に対応する位置５１ａ，５１ｂに設けられた２つの第２部位Ｒ２と、を有している。第１部位Ｒ１は、使用者の橈骨付近に対応する基準端部６１から自由端部６２に向けて延在する形状を呈している。また、２つの第２部位Ｒ２は、それぞれ、上面視で略Ｔ字の形状を呈している。つまり、２つの第２部位Ｒ２は、それぞれ、中心部Ｒ２ｃから右側方向と左側方向とに延在する形状を呈している。
【００５３】
ただし、２枚の布材１６ａ，１６ｂは、図６に示す形状に限定されるものではなく、任意の形状に変更することができる。例えば、第２部位Ｒ２は、略Ｔ字の形状でなくても、旗のような形状（すなわち、右側又は左側の一方だけに延伸する形状）であってもよい。
【００５４】
図９に示すように、ウェアラブル電子装置１０の製造に際して、製造者は、前腕装着部形成工程（ステップＳ１１０）を行う。前腕装着部形成工程（ステップＳ１１０）は、前腕装着部５３を形成する工程である。前腕装着部形成工程（ステップＳ１１０）では、製造者は、布材積層工程（ステップＳ１１１）と、布材接合工程（ステップＳ１１２）と、を行う。
【００５５】
具体的には、ステップＳ１１１において、製造者は、図８に示す２枚の布材１６ａ，１６ｂを用い、制御基板１３と電池１４と少なくとも配線７０の一部とが第１部位Ｒ１の内部に挟み込まれるように（図３Ａ参照）、２枚の布材１６ａ，１６ｂを積層する。
【００５６】
次に、ステップＳ１１２において、製造者は、布材１６ａと布材１６ｂとを接合する。これによって、製造者は、前腕装着部５３を形成する。ここでは、接合は、縫合によって行われているものとする。したがって、本実施形態では、このとき、布材１６ａと布材１６ｂに縫い目１７が形成される。ただし、接合は、縫合ではなく、接着剤を用いて行うことも可能である。
【００５７】
ステップＳ１１２の後、製造者は、表面配置部材取付工程（ステップＳ１２０）を行う。表面配置部材取付工程（ステップＳ１２０）は、スキャナ１１やディスプレイ１２等のデバイスや固定部である面ファスナー６３を装着体１５の表面に取り付ける工程である。以下、スキャナ１１やディスプレイ１２等のデバイスや固定部である面ファスナー６３を総称する場合に「表面配置部材」と称する。
【００５８】
表面配置部材取付工程（ステップＳ１２０）では、製造者は、デバイス取付工程（ステップＳ１２１）と、固定部取付工程（ステップＳ１２２）と、を行う。デバイス取付工程（ステップＳ１２１）は、ディスプレイ１２等のデバイスを装着体１５の表面に取り付ける工程である。一方、固定部取付工程（ステップＳ１２２）は、固定部である面ファスナー６３を装着体１５に取り付ける工程である。固定部取付工程（ステップＳ１２２）では、製造者は、図８に示すように、自由端部６２の下面に鉤部６３ａを取り付け、前腕装着部５３の上面にパイル部６３ｂを取り付ける。ここでは、取り付けは、縫合によって行われているものとする。ただし、取り付けは、縫合ではなく、接着剤を用いて行うことも可能である。
【００５９】
ステップＳ１２２の後、製造者は、指係合部形成工程（ステップＳ１３０）を行う。指係合部形成工程（ステップＳ１３０）は、指係合部５０を形成する工程である。指係合部形成工程（ステップＳ１３０）では、製造者は、親指係合部形成工程（ステップＳ１３１）と、人差し指係合部形成工程（ステップＳ１３２）と、を行う。
【００６０】
具体的には、ステップＳ１３１において、製造者は、内部に空洞が形成されるように（図３Ｂ参照）、親指に対応する位置５１ａに設けられた第２部位Ｒ２の右端部Ｒ２ｒ（図８参照）と左端部Ｒ２ｌ（図８参照）とを下側に曲げて双方を接合する。これによって、製造者は、親指係合部５１（図１参照）を形成する。
【００６１】
次に、ステップＳ１３２において、製造者は、内部に空洞が形成されるように（図３Ｂ参照）、人差し指に対応する位置５２ａに設けられた第２部位Ｒ２の右端部Ｒ２ｒ（図８参照）と左端部Ｒ２ｌ（図８参照）とを下側に曲げて双方を接合する。これによって、製造者は、人差し指係合部５２（図１参照）を形成する。
【００６２】
図９に示す製造方法は、特に、前腕装着部形成工程（ステップＳ１１０）と、指係合部形成工程（ステップＳ１３０）と、を含んでいる。この製造方法は、前腕装着部形成工程（ステップＳ１１０）で、制御基板１３や電池１４等のデバイスや各デバイスを接続する配線７０が布材１６で覆われた前腕装着部５３を形成することができる。そのため、この製造方法は、デバイスや配線の破損を抑制するウェアラブル電子装置１０を提供することができる。また、この製造方法は、指係合部形成工程（ステップＳ１３０）で、使用者の指に係合される指係合部５０を形成することができる。この製造方法は、指係合部５０を使用者の指に係合させて、装着体１５を使用者の手に固定させるウェアラブル電子装置１０を提供することができる。そのため、この製造方法は、前腕装着部５３が使用者の前腕の周囲を回動しないようにすることができ、操作性に優れたウェアラブル電子装置１０を提供することができる。
【００６３】
なお、表面配置部材取付工程（ステップＳ１２０）と指係合部形成工程（ステップＳ１３０）はどちらかから先に行ってもよい。また、表面配置部材取付工程（ステップＳ１２０）と指係合部形成工程（ステップＳ１３０）のみならず各ステップの順番は、必ずしも図９に示す例に限定されるものではない。
【００６４】
本実施形態に係るウェアラブル電子装置１０の製造方法は、使用者の前腕に対応する第１部位Ｒ１（図８参照）と使用者の指に対応する第２部位Ｒ２（図８参照）とを有する複数枚の布材１６（本実施形態では、２枚の布材１６ａ，１６ｂ）を用いるものである。そして、本実施形態に係るウェアラブル電子装置１０の製造方法は、複数枚の布材１６各々の第１部位Ｒ１で制御基板１３や電池１４等の所定のデバイスを挟み込むように配置した状態で複数枚の布材１６を重ね合わせて接合する接合工程（図９のステップＳ１１２の「布材接合」工程参照）と、接合工程で接合された複数枚の布材１６の第２部位Ｒ２を折り曲げて環状とすることで指係合部５０を形成する形成工程（図９のステップＳ１３０の「指係合部形成」工程参照）と、を含むものである。
【００６５】
このような本実施形態に係る製造方法は、前記した制御基板１３や電池１４等のデバイスや各デバイスを接続する配線７０が布材１６で覆われたウェアラブル電子装置１０を提供することができる。そのため、本実施形態に係る製造方法は、デバイスや配線の破損を抑制するウェアラブル電子装置１０を提供することができる。
【００６６】
なお、本実施形態に係るウェアラブル電子装置１０の製造方法は、前記した接合工程（図９のステップＳ１１２の「布材接合」工程参照）で接合された複数枚の布材１６の表面に前記した所定のデバイスとは異なる他のデバイスを取り付けるデバイス取付工程をさらに含む、ものであってもよい。ここで、前記した所定のデバイスとは、例えば、前記した他のデバイスに電力を供給する電源部又は前記した他のデバイスを制御する制御基板等である。一方、前記した他のデバイスとは、例えば、使用者に対して所定の情報を表示する表示部又は使用者から所定の入力操作を受け付ける操作部等である。
【００６７】
＜ウェアラブル電子装置の主な特徴＞
（１）本実施形態に係るウェアラブル電子装置１０の装着体１５は、指に係合するための指係合部５０と、前腕に装着するための前腕装着部５３と、を有している。前腕装着部５３は、前腕装着部５３の装着方向（図１の矢印Ａ１参照）に沿って延在する形状に形成されている。そして、前腕装着部５３の積層された複数枚の布材１６の間には、制御基板１３（基板）と電池１４（電源部）と少なくとも配線７０の一部とが挟み込まれている。
【００６８】
換言すると、本実施形態に係るウェアラブル電子装置１０の装着体１５は、装着対象（使用者）が有する任意の箇所（指）に係合するための係合部（指係合部５０）と、装着対象の主要部（前腕）に装着するためのメイン装着部（前腕装着部５３）と、を有している。メイン装着部（前腕装着部５３）は、主要部（前腕）に装着するための装着方向に沿って延在する形状に形成されている。そして、メイン装着部（前腕装着部５３）の積層された複数枚の布材１６の間には、制御基板１３（基板）と電池１４（電源部）と少なくとも配線７０の一部とが挟み込まれている。
【００６９】
このような本実施形態に係るウェアラブル電子装置１０は、前記した制御基板１３や電池１４等のデバイスや各デバイスを接続する配線７０を布材１６で覆うことができる。そのため、ウェアラブル電子装置１０は、デバイスや配線の破損を抑制することができる。
【００７０】
（２）本実施形態に係るウェアラブル電子装置１０の装着体１５は、指に係合するための指係合部５０を有している。
【００７１】
このような本実施形態に係るウェアラブル電子装置１０は、指係合部５０が使用者の指に係合されることで、前腕装着部５３が使用者の前腕の周囲を回動しないように、装着体１５を固定することができる。そのため、ウェアラブル電子装置１０は、操作性を向上させることができる。
【００７２】
以上の通り、本実施形態に係るウェアラブル電子装置１０によれば、デバイスや配線の破損を抑制することができる。
【００７３】
なお、本発明は、前記した実施形態に限定されるものではなく、本発明の要旨を逸脱しない範囲で種々の変更や変形を行うことができる。
【００７４】
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００７５】
また、前記した実施形態では、ウェアラブル電子装置１０が使用者の左腕に装着される構成になっている。しかしながら、ウェアラブル電子装置１０は使用者の右腕に装着される構成にしてもよい。この場合に、ウェアラブル電子装置１０は、図１に示す構成に対して左右が逆の構成になる。
【００７６】
また、前記した実施形態では、ウェアラブル電子装置１０の指係合部５０が使用者の親指と人差し指に係合する構成になっている。しかしながら、指係合部５０が係合する指の種類や本数は、特に限定されない。例えば、指係合部５０は使用者の親指と中指に係合する構成にしてもよい。
【００７７】
また、前記した実施形態では、ウェアラブル電子装置１０は、スキャナ１１を備えている。しかしながら、ウェアラブル電子装置１０は、スキャナ１１を備えていなくても、複数のデバイスと装着体１５と、を備えた装置であればよい。このようなウェアラブル電子装置１０は、使用者の腕に装着された状態において、重量バランスがとられる構成であるとよい。例えば、ウェアラブル電子装置１０は、使用者の腕に装着された状態において、複数のデバイスの中で比較的重量が重い２つのデバイスが使用者の前腕の周囲に分散して配置される構成であるとよい。そして、ウェアラブル電子装置１０は、比較的重量が軽いデバイスが比較的重量が重い２つのデバイスの間に介在するように配置される構成であるとよい。なお、前記した実施形態では、比較的重量が重いディスプレイ１２と電池１４とが使用者の橈骨Ｒａ付近と尺骨Ｕｌ付近とに配置されている。このように比較的重量が重い２つのデバイスは、好ましくは、使用者の前腕の周囲において、反対側の位置に対向配置されるとよい。なお、デバイスは、表示部（ディスプレイ１２）と基板（制御基板１３）と電源部（電池１４）に限定されず、任意のものであってよい。
【００７８】
また、前記した実施形態では、ウェアラブル電子装置１０は、ディスプレイ１２（表示部）を備えている。しかしながら、ウェアラブル電子装置１０は、ディスプレイ１２に加えて、又は、ディスプレイ１２の代わりに、任意の構成要素（例えば、スキャナ１１等）を操作する操作部（図示せず）を有する構成であってもよい。例えば、ウェアラブル電子装置１０は、電池１４と、操作部（図示せず）と、操作部を制御する制御部が実装された制御基板１３と、操作部を支持する装着体１５と、を備えた構成であってもよい。操作部は、好ましくは、装着体１５が装着された際に使用者の前腕における橈骨付近に位置するように装着体１５に配置されているとよい。
【００７９】
また、例えば、ウェアラブル電子装置１０は、装着体１５が所定の複数のデバイスを支持する環状の構造になっており、所定の複数のデバイスがその装着体１５の周囲に沿って分散して配置された構成であってもよい。そして、所定の複数のデバイスは、ディスプレイ１２（表示部）、電池１４（電源部）、および制御基板１３（基板）であり、制御基板１３（基板）は、ディスプレイ１２（表示部）と電池１４（電源部）との間に介在するように配置されてもよい。
【００８０】
また、例えば、前記した実施形態では、２枚の布材１６ａ，１６ｂを用いて、ウェアラブル電子装置１０を製造している。しかしながら、ウェアラブル電子装置１０は、袋状の布材（図示せず）を用いて製造することができる。すなわち、ウェアラブル電子装置１０の製造方法は、使用者の前腕に対応する第１部位と使用者の指に対応する第２部位とを有する袋状の布材を用い、当該袋状の布材の内部における前記第１部位に対応する箇所に所定のデバイスを配置した状態で、前記袋状の布材の前記第２部位を折り曲げて環状とすることで指係合部を形成する形成工程を含む、ものであってもよい。
【００８１】
そして、このような製造方法によって製造されるウェアラブル電子装置１０は、各々が電気的に接続された所定の複数のデバイスと、前記所定の複数のデバイスを支持するともに、使用者の指から前腕に亘って装着可能な装着体と、を備え、前記装着体は、袋状の布材によって形成されているとともに、前記指に係合するための環状の指係合部と、前記前腕に装着するための前腕装着部と、を有し、前記袋状の布材の内部における前記前腕装着部に対応する箇所には、前記所定の複数のデバイスのうち少なくとも一つのデバイスが挟み込まれている、構成とすることができる。
【００８２】
以下に、この出願の願書に最初に添付した特許請求の範囲に記載した発明を付記する。付記に記載した請求項の項番は、この出願の願書に最初に添付した特許請求の範囲の通りである。
［付記］
《請求項１》
使用者の前腕に対応する第１部位と使用者の指に対応する第２部位とを有する複数枚の布材を用い、当該複数枚の布材各々の前記第１部位で所定のデバイスを挟み込むように配置した状態で前記複数枚の布材を重ね合わせて接合する接合工程と、
前記接合工程で接合された前記複数枚の布材の前記第２部位を折り曲げて環状とすることで指係合部を形成する形成工程と、を含む、
ことを特徴とするウェアラブル電子装置の製造方法。
《請求項２》
前記形成工程は、使用者の親指に係合するための親指係合部を形成する工程と、使用者の人差し指に係合するための人差し指係合部を形成する工程と、を含む、
ことを特徴とする請求項１に記載のウェアラブル電子装置の製造方法。
《請求項３》
前記接合工程で接合された前記複数枚の布材の表面に前記所定のデバイスとは異なる他のデバイスを取り付けるデバイス取付工程をさらに含む、
ことを特徴とする請求項１又は請求項２に記載のウェアラブル電子装置の製造方法。
《請求項４》
前記所定のデバイスは、前記他のデバイスに電力を供給する電源部又は前記他のデバイスを制御する制御基板であり、
前記他のデバイスは、使用者に対して所定の情報を表示する表示部又は使用者から所定の入力操作を受け付ける操作部である、
ことを特徴とする請求項３に記載のウェアラブル電子装置の製造方法。
《請求項５》
前記複数枚の布材の前記第１部位は、使用者の橈骨付近に対応する基準端部から自由端部に向けて延在する形状に形成されており、
前記自由端部の下面と前記基準端部の近傍の上面とを固定するための固定部を前記第１部位に取り付ける固定部取付工程をさらに含む、
ことを特徴とする請求項３又は請求項４に記載のウェアラブル電子装置の製造方法。
《請求項６》
前記接合は、縫合によって行われる、
ことを特徴とする請求項１に記載のウェアラブル電子装置の製造方法。
《請求項７》
各々が電気的に接続された所定の複数のデバイスと、
前記所定の複数のデバイスを支持するとともに、使用者の指から前腕に亘って装着可能な装着体と、を備え、
前記装着体は、積層された複数枚の布材によって形成されているとともに、前記指に係合するための指係合部と、前記前腕に装着するための前腕装着部と、を有し、
前記前腕装着部の前記積層された複数枚の布材の間には、前記所定の複数のデバイスのうち少なくとも一つのデバイスが挟み込まれている、
ことを特徴とするウェアラブル電子装置。
《請求項８》
前記前腕装着部の前記積層された複数枚の布材の間には、前記所定の複数のデバイスを電気的に接続するための配線の少なくとも一部が挟み込まれている、
ことを特徴とする請求項７に記載のウェアラブル電子装置。
《請求項９》
前記前腕装着部の前記積層された複数枚の布材の表面には、前記所定の複数のデバイスのうち前記一つのデバイスとは異なる少なくとも一つの他のデバイスが取り付けられている、
ことを特徴とする請求項７又は請求項８に記載のウェアラブル電子装置。
《請求項１０》
使用者の前腕に対応する第１部位と使用者の指に対応する第２部位とを有する袋状の布材を用い、当該袋状の布材の内部における前記第１部位に対応する箇所に所定のデバイスを配置した状態で、前記袋状の布材の前記第２部位を折り曲げて環状とすることで指係合部を形成する形成工程を含む、
ことを特徴とするウェアラブル電子装置の製造方法。
《請求項１１》
各々が電気的に接続された所定の複数のデバイスと、
前記所定の複数のデバイスを支持するともに、使用者の指から前腕に亘って装着可能な装着体と、を備え、
前記装着体は、袋状の布材によって形成されているとともに、前記指に係合するための環状の指係合部と、前記前腕に装着するための前腕装着部と、を有し、
前記袋状の布材の内部における前記前腕装着部に対応する箇所には、前記所定の複数のデバイスのうち少なくとも一つのデバイスが挟み込まれている、
ことを特徴とするウェアラブル電子装置。
【符号の説明】
【００８３】
１０    ウェアラブル電子装置
１１    スキャナ（読取部）
１２    ディスプレイ（表示部）
１３    制御基板（基板）
１４    電池（電源部）
１５    装着体
１６（１６ａ，１６ｂ）    布材
１７    縫い目
５０    指係合部（係合部）
５１    親指係合部
５２    人差し指係合部
５３    前腕装着部（メイン装着部）
６１    基準端部
６２（６２ａ，６２ｂ）    自由端部
６３    面ファスナー（固定部）
６３ａ    鉤部
６３ｂ    パイル部
７０（７０ａ，７０ｂ，７０ｃ，７０ｄ，７０ｅ）    配線
７１    配線逃がし部
Ｒ１    第１部位
Ｒ２    第２部位
Ｒ２ｃ    中心部
Ｒ２ｒ    右端部
Ｒ２ｌ    左端部
【図１】
2020077268.tif 000003
【図２】
2020077268.tif 000004
【図３Ａ】
2020077268.tif 000005
【図３Ｂ】
2020077268.tif 000006
【図４】
2020077268.tif 000007
【図５】
2020077268.tif 000008
【図６】
2020077268.tif 000009
【図７Ａ】
2020077268.tif 000010
【図７Ｂ】
2020077268.tif 000011
【図８】
2020077268.tif 000012
【図９】
2020077268.tif 000013